(57)【要約】【課題】  故人の仏事上の情報を遺族以外にも広く伝達することができるとともに、親密感をもって故人を偲ぶことができる仏事用小冊子を提供する。【解決手段】  複数枚のシートを綴合せて成る小冊子であって、遺影貼付部と、俗名，戒名もしくは法名，命日等を記載する故人情報記入欄と、法要日程記入欄と、菩提寺の宗派，名称，住所等を記載する菩提寺情報記入欄とを、複数頁にわたって設けるとともに、葬儀記録記入欄を設けた頁と、故人の生前のエピソード等の想い出を記入する想い出記入欄５２および嗜好，趣味等を記入する生前情報記入欄５１を設けた頁と、故人のスナップ写真等を貼付けるための写真貼付部６１を設けた頁とを、具備した。【選択図】      図５
2006020679.tif 000002
【特許請求の範囲】
【請求項１】
複数枚のシートを綴合せて成る小冊子であって、
遺影貼付部と、俗名，戒名もしくは法名，命日等を記入する故人情報記入欄と、法要日程記入欄と、菩提寺の宗派，名称，住所等を記入する菩提寺情報記入欄とを、複数頁にわたって設けるとともに、
葬儀記録記入欄を設けた頁と、故人の生前のエピソード等の想い出を記入する想い出記入欄および嗜好，趣味等を記入する生前情報記入欄を設けた頁と、故人のスナップ写真等を貼付けるための写真貼付部を設けた頁とを、具備したことを特徴とする仏事用小冊子。
【請求項２】
前記遺影貼付部を設けた頁が、横長のシートを折曲線で袋綴じ状に二つ折りして、前記折曲線と綴合せ辺との間の下側シート部上に、前記折曲線の外側の上側シート部を重ね合せる二層構造を有し、前記上側シート部に遺影の周辺部を覆う窓孔を設け、前記下側シート部の前記窓孔に対応する位置に遺影の貼付位置指示線と遺影貼付用の両面接着テープを設けるとともに、前記下側シート部の前記折曲線部を除く三辺に沿って前記上側シート部接着用の両面接着テープを設けたことを特徴とする請求項１記載の仏事用小冊子。
【請求項３】
前記写真貼付部を設けた頁が、横長のシートを折曲線で袋綴じ状に二つ折りして、前記折曲線と綴合せ辺との間の下側シート部上に、前記折曲線の外側の上側シート部を重ね合せる二層構造を有し、前記上側シート部に写真の周辺部を覆う窓孔を設け、前記下側シート部の前記窓孔に対応する位置に写真の貼付位置指示線と写真貼付用の両面接着テープを設けるとともに、前記下側シート部の前記折曲線部を除く三辺に沿って前記上側シート部接着用の両面接着テープを設けたことを特徴とする請求項１または２記載の仏事用小冊子。
【請求項４】
前記上側シート部をその先端縁から前記折曲線に至る切れ目により２分割して形成した各分割シート部に、前記窓孔を設け、これら各窓孔に対応する前記貼付位置指示線と前記写真貼付用の両面接着テープを前記下側シート部に設けるとともに、前記下側シート部の綴合せ辺に沿って設けた前記上側シート部接着用の両面接着テープの少なくとも剥離紙部を、前記上側シート部の切れ目に対応する位置で２分割して、各分割シート部をそれぞれ別々に下側シート部に接着可能としたことを特徴とする請求項３記載の仏事用小冊子。
【発明の詳細な説明】
【技術分野】
【０００１】
この発明は、法事の際に配布され故人の仏事上の情報とともに生前の想い出等の記入をおこなえるようにした仏事用小冊子に関する。
【背景技術】
【０００２】
従来、故人の仏事上の情報を記載して後世に伝えるものとして、法名，遺影，法要記録，経歴，菩提寺及び墓誌等の記載欄を設けたもの（たとえば特許文献１参照。）や、上記の菩提寺及び墓誌記載欄のかわりに会葬者名簿をそなえたもの（たとえば特許文献２参照。）などが提案されている。
【特許文献１】実開昭６２−８５４６３号公報（第１頁、第１−４図）
【特許文献２】実開平２−６１６７８号公報（第１−２頁、第１−６図）
【０００３】
しかし上記の特許文献１に記載のものは、故人毎に各事項を記載して仏壇等に納め、必要により開帳利用して一家の祖先を知るためのものであり、また特許文献２に記載のものも、印刷したものを一冊に綴じて遺族（故人の家族）が保管するものであるので、いずれも遺族以外の親族が保管したり故人を偲ぶ資料とはなり得ないものである。
【０００４】
そこで故人の仏事上の情報を記載した資料を、遺族だけにとどめることなく広く親族や故人と親交のあった友人等にも配布すれば、故人を偲び法要日程等も知ることができる資料として役立ち、特に近年は核家族化による親族の遠隔地への分散などにより、親族が葬儀や法事に参加できないケースも増え、また同様に遠隔地の友人が葬儀に出席できないケースもあるので、このようなときに上記の資料の配付は、一層有意義なものといえる。
【０００５】
しかしながら、前記特許文献１，２等に記載された仏事上の情報を記載しただけの資料では通り一遍であり、親密感をもって故人を偲ぶ資料とはなり得ないものである。
【発明の開示】
【発明が解決しようとする課題】
【０００６】
この発明は上記の点にかんがみてなされたもので、故人の仏事上の情報を遺族以外にも広く伝達することができるとともに、親密感をもって故人を偲ぶことができる仏事用小冊子を提供することを目的とする。
【課題を解決するための手段】
【０００７】
上記目的を達成するために、請求項１記載の仏事用小冊子は、複数枚のシートを綴合せて成る小冊子であって、遺影貼付部と、俗名，戒名もしくは法名，命日等を記入する故人情報記入欄と、法要日程記入欄と、菩提寺の宗派，名称，住所等を記入する菩提寺情報記入欄とを、複数頁にわたって設けるとともに、葬儀記録記入欄を設けた頁と、故人の生前のエピソード等の想い出を記入する想い出記入欄および嗜好，趣味等を記入する生前情報記入欄を設けた頁と、故人のスナップ写真等を貼付けるための写真貼付部を設けた頁とを、具備したことを特徴とする。
【０００８】
請求項１記載の発明によれば、仏事用小冊子の遺影貼付部への遺影の貼付および故人情報記入欄，法要日程記入欄，菩提寺情報記入欄，葬儀記録記入欄，生前情報記入欄等への各情報の記入を施主（遺族）側でおこなって、四十九日の法事の際などに参加者に配布し、また未参加者に送付することにより、故人の仏事上の情報を親族や友人に広く伝達できる。またこの小冊子を受取った親族・友人等の受取側では、想い出記入欄への記入と写真貼付部への写真の貼付けをおこなってこれを保管することにより、生前の故人を身近に思い出し、折に触れて小冊子を開き親密感をもって故人を偲ぶことができる。
【０００９】
この発明において、遺影貼付部は、１枚のシートの上面に直接遺影を貼付ける構成としてもよいが、請求項２記載の発明のように、前記遺影貼付部を設けた頁が、横長のシートを折曲線で袋綴じ状に二つ折りして、前記折曲線と綴合せ辺との間の下側シート部上に、前記折曲線の外側の上側シート部を重ね合せる二層構造を有し、前記上側シート部に遺影の周辺部を覆う窓孔を設け、前記下側シート部の前記窓孔に対応する位置に遺影の貼付位置指示線と遺影貼付用の両面接着テープを設けるとともに、前記下側シート部の前記折曲線部を除く三辺に沿って前記上側シート部接着用の両面接着テープを設けた構成とすれば、両面接着テープにより遺影の下側シート部への貼付けと上側シート部の三辺部の下側シート部への接着とを迅速容易におこなえ、遺影の周辺部が上側シート部で覆われたすぐれた外観の遺影貼付状態が得られるので、好ましい。
【００１０】
またこの発明において写真貼付部は、１枚のシートの上面に直接写真を貼付ける構成としてもよいが、請求項３記載の発明のように、前記写真貼付部を設けた頁が、横長のシートを折曲線で袋綴じ状に二つ折りして、前記折曲線と綴合せ辺との間の下側シート部上に、前記折曲線の外側の上側シート部を重ね合せる二層構造を有し、前記上側シート部に写真の周辺部を覆う窓孔を設け、前記下側シート部の前記窓孔に対応する位置に写真の貼付位置指示線と写真貼付用の両面接着テープを設けるとともに、前記下側シート部の前記折曲線部を除く三辺に沿って前記上側シート部接着用の両面接着テープを設けた構成とすれば、両面接着テープにより写真の下側シート部への貼付けと上側シート部の三辺部の下側シート部への接着とを迅速容易におこなえ、写真の周辺部が上側シート部で覆われたすぐれた外観の写真貼付状態が得られるので、好ましい。
【００１１】
また請求項３記載の発明においては、写真貼付枚数は１枚でも複数枚でもよく、その枚数に応じて窓孔の個数や貼付位置指示線と写真貼付の両面接着テープの位置や個数を選定すればよいが、写真貼付枚数が２枚のとき、請求項４記載の発明のように、前記上側シート部をその先端縁から前記折曲線に至る切れ目により２分割して形成した各分割シート部に、前記窓孔を設け、これら各窓孔に対応する前記貼付位置指示線と前記写真貼付用の両面接着テープを前記下側シート部に設けるとともに、前記下側シート部の綴合せ辺に沿って設けた前記上側シート部接着用の両面接着テープの少なくとも剥離紙部を、前記上側シート部の切れ目に対応する位置で２分割して、各分割シート部をそれぞれ別々に下側シート部に接着可能とした構成とすれば、各分割シートを別々に開いて２枚の写真を１枚ずつ下側シート部へ貼付け後、写真貼付側の分割シートの下側シート部への接着をおこなうことができるので、１枚の写真の貼付後に、たとえば日時をおいて、別の写真の追加貼付けを容易におこなうことができ、特に好ましい。
【発明の効果】
【００１２】
この発明によれば、仏事用小冊子の遺影貼付部への遺影の貼付および故人情報記入欄，法要日程記入欄，菩提寺情報記入欄，葬儀記録記入欄，生前情報記入欄等への各情報の記入を施主（遺族）側でおこなって、四十九日の法事の際などに参加者に配布し、また未参加者に送付することにより、故人の仏事上の情報を親族や友人に広く伝達でき、またこの小冊子を受取った親族・友人等の受取側では、想い出記入欄への記入と写真貼付部への写真の貼付けをおこなってこれを保管することにより、親密感をもって故人を偲ぶことができる。
【００１３】
上記の効果に加えて、請求項２記載の発明によれば、両面接着テープにより遺影の下側シート部への貼付けと上側シート部の三辺部の下側シート部への接着とを迅速容易におこなえ、遺影の周辺部が上側シート部で覆われたすぐれた外観の遺影貼付状態が得られる。
【００１４】
上記の効果に加えて、請求項３記載の発明によれば、両面接着テープにより写真の下側シート部への貼付けと上側シート部の三辺部の下側シート部への接着とを迅速容易におこなえ、写真の周辺部が上側シート部で覆われたすぐれた外観の写真貼付状態が得られる。
【００１５】
上記の効果に加えて、請求項４記載の発明によれば、１枚の写真の貼付後に、たとえば日時をおいて、別の写真の追加貼付けを容易におこなうことができる。
【発明を実施するための最良の形態】
【００１６】
以下、図１〜図７に示す一例により、この発明の実施の形態を説明する。図１はこの発明の仏事用小冊子１の閉じた状態の斜視図、図２は同じく半開き状態の斜視図で、仏事用小冊子１は、表紙２を兼ねる下側シート部３Ａとこれに重ね合せられる上側シート部３Ｂと、裏表紙４を兼ねる下側シート部５Ａとこれに重ね合せられる上側シート部５Ｂとから成る、横巾４頁分のやや厚手の紙製の１枚のシートと、後述する第２頁２０，第３頁３０と、第４頁４０，第５頁５０を表裏に形成する横巾２頁分の紙製の１枚のシートとを、綴金具６により綴合わせた冊子構造を有する。なおこの例では、１頁の紙面の縦・横寸法は、２１cm×１５cmとしてある。
【００１７】
図１に示すように、表紙２には、たとえば「合掌の心」などの題号７が印刷してあり、また表紙２から裏表紙４にわたって、たとえば雲海などの図柄８が印刷してある。９は、小冊子内容識別のために遺族の家名，宗派名などを記入する記名欄である。
【００１８】
図３は、図２における上側シート部３Ｂを折曲線３Ｃで折曲げて下側シート部３Ａ上に重ね合わせて形成した第１頁１０と、第２頁２０（図２における第３頁３０の裏面側頁）とを示す。第１頁１０には、故人の俗名，戒名もしくは法名，命日等を記入する（ための）故人情報記入欄１１を印刷するとともに、遺影貼付部１２を設けてある。この遺影貼付部１２は、上側シート部３Ｂに遺影の周辺部を覆う窓孔１３を設けるとともに、下側シート部３Ａに遺影貼付用の両面接着テープ１５等を設けて成り、その詳細な構成については後述する。また第２頁２０には、法要日程記入欄２１を印刷してある。
【００１９】
次に図４は、第３頁３０と第４頁４０を示し、第３頁３０には菩提寺の宗派，名称，住所等を記入する菩提寺情報記入欄３１を印刷し、第４頁４０には葬儀記録を記入する葬儀記録記入欄４１を印刷してある。３２は第３頁３０に印刷した家紋名欄で、必要に応じて設ける。
【００２０】
また図５は、第５頁５０（図２における第４頁４０の裏面側頁）と、図２における上側シート部５Ｂを折曲線５Ｃで折曲げて下側シート部５Ａ上に重ね合わせて形成した第６頁とを示す。第５頁５０には、その下側に故人の生前の趣味，嗜好等を記入する生前情報記入欄５１を印刷するとともに、その上側には故人の生前のエピソード等の想い出を記入する想い出記入欄５２を印刷してある。また第６頁６０には、故人のスナップ写真等を貼付けるための写真貼付部６１を設けてある。この例では、写真貼付部６１は２枚の写真の貼付が容易にできるように、上側シート部５Ｂを切れ目６３により２分割して形成した分割シート部６４，６５に、写真の周辺部を覆う窓孔６６をそれぞれ設けるとともに、下側シート部５Ａに写真貼付用の両面接着テープ６８，６８等を設けて成り、その詳細な構成については後述する。
【００２１】
次に図６は、一部前述した遺影貼付部１２の詳細構造を示し、図２および図３における下側シート部３Ａと上側シート部３Ｂを同一平面上に開いた状態の平面図であり、図３と同一部分には同一符号を付して図示してある。下側シート部３Ａの窓孔１３に対応する位置には、遺影の貼付位置を指示する遺影貼付位置指示線１４を印刷し、遺影を貼付けるための両面接着テープ１５を設けるとともに、折曲線３Ｃ部を除く三辺に沿って、上側シート部３Ｂを接着するため両面接着テープ１６，１７，１８を設けてある。なお上記の各両面接着テープは、表面側の剥離シートを残した状態で裏面側を（剥離シートをはがして）下側シート部３Ａに接着してあり、以下後述の各両面接着テープも同様である。
【００２２】
また図７は、一部前述した写真貼付部６１の詳細構造を示し、図２および図５における下側シート部５Ａと上側シート部５Ｂを同一平面上に開いた状態の平面図であり、図５と同一部分には同一符号を付して図示してある。上側シート部５Ｂを分割シート部６４，６５に２分割する切れ目６３は、上側シート部５Ｂの先端縁６２から折曲線５Ｃ部まで延びている。下側シート部５Ａの各窓孔６６に対応する位置には、写真貼付位置を指示する貼付位置指示線６７，６７を印刷し、写真を貼付けるための両面接着テープ６８を設けるとともに、折曲線５Ｃ部を除く三辺に沿って、上側シート部５Ｂ接着用の両面接着テープ６９，７０，７１を設けてある。そして下側シート部５Ａの綴合せ辺５Ｄに沿って設けた両面接着テープ７０の剥離紙部には、上側シート部５Ｂの切れ目６３に対応する位置に切れ目７２を入れて２分割してある。
【００２３】
上記構成の仏事用小冊子１を使用するには、葬儀後、四十九日の法事までの間に、施主（遺族）側で下記各事項の記入と遺影の貼付けをおこなう。すなわち、先ず遺影の貼付けは、図６に示す開いた状態の下側シート部３Ａ上に、貼付位置指示線１４を参照しながら遺影を配置し、両面接着テープ１５により遺影を下側シート部３Ａ上に貼付けたのち、上側シート部３Ｂを折曲線３Ｃ部で折曲げて下側シート部３Ａ上に袋綴じ状に重ね、両面接着テープ１６〜１８により上側シート部３Ｂの三辺部と下側シート部３Ａを接着する。
【００２４】
これにより表紙２と二層構造で一体化された第１頁１０が形成されるので、この第１頁１０の故人情報記入欄１１に、俗名，没年令，戒名もしくは法名，命日等の故人情報の記入（戒名もしくは法名は２行目の欄に記入）をおこなう。この記入は手書きでおこなえばよいが、小冊子の配布部数が多い場合などは、プリンタなどで記入事項を打出したラベルの貼付けなどでおこなってもよく、以下他の記入事項についても同様とする。
【００２５】
次に第２頁２０の法要日程記入欄２１には、各法要の予定日（法要完了のものは完了日）を記入し、第３頁３０の菩提寺情報記入欄３１には、宗派名，菩提寺の名称，住所，墓地住所等の記入をおこない、またこの例では家紋名欄３２に遺族の家紋名を記入する。
【００２６】
また第４頁４０の葬儀記録記入欄４１には、葬儀日時，葬儀会場，通夜弔問者人数，告別式弔問者人数，弔電数、来賓名等、葬儀に関する諸事項を記入する。次に第５頁５０の生前情報記入欄５１に、故人の嗜好や趣味，表彰などの特記事項を記入し、また表紙２の記名欄９には、宗派名，家名などを記入する。
【００２７】
上記の各事項の記入要領を示す記入例や遺影貼付方法などを記載した小冊子利用の手引き資料を、未記入状態の仏事用小冊子１に添えて施主側に渡すことにより、上記の記入や貼付などを円滑におこなうことができるので、上記手引き資料の添付が望ましい。
【００２８】
上記の各記入および遺影貼付をおこなった仏事用小冊子１は、原則として四十九日の法事の際に施主から親族などの参加者に配布し、また未参加者のうち必要と思われる配布先に郵送などにより配布する。また１冊は施主が自家用として保管する。さらに四十九日の法事後においても、たとえば１周忌の法事の際などに、未配布の親族や友人などに、必要に応じて配布・送付してもよい。
【００２９】
この冊子を受取った親族や友人等の受取側においては、それを持帰ってから第５頁５０の想い出記入欄５２に、生前の故人のエピソードなどの想い出を記入し、第６頁６０の写真貼付部６１に故人とのスナップ写真などを貼付けることにより生前の故人を身近に思い出すことができる。また葬儀記録記入欄４１に、受取側の葬儀参列者名や感想などを記入してもよい。保管後は折に触れて小冊子を開いて故人を親密感をもって偲ぶことができるのである。
【００３０】
なお受取側における写真貼付部６１への写真の貼付けは、遺影貼付部１２と同様に、貼付位置指示線６７に沿って配置した写真の両面接着テープ６８による下側シート部５Ａ上への貼付けと、両面接着テープ６９〜７１による上側シート部５Ｂの下側シート部５Ａへの接着により、容易におこなえ、すぐれた外観の貼付状態が得られるものである。またこの例では上側シート部５Ｂを切れ目６３を介して分割シート部６４，６５に２分割した構成としたので、手持ちの写真１枚をとりあえず貼付けて一方の分割シート部を下側シート部５Ａに接着後、後日見付けた別の写真を１枚追加して貼付ける際には他方の分割シート部は未接着で自由に開ける状態なので、追加の写真の貼付けを容易におこなうことができる。
【００３１】
また施主が自家用として保管する１冊の仏事用小冊子１にも、上記と同様な想い出記入欄５２への記入と写真貼付部６１へのスナップ写真などの貼付をおこなって保管することにより、親密感をもって故人を偲ぶことができる情報資料を子孫に伝達することができる。
【００３２】
この発明は上記の例に限定されるものではなく、たとえば図７における切れ目７２は、剥離紙だけでなく両面接着テープ本体にも設けて両面接着テープ７０の全体を２分割したり、あるいはさらにこの２分割した両面接着テープの隣合う長手方向端面同士を少量離間させた状態で、下側シート部５Ａ上に設けてもよい。また貼付位置指示線１４，６７は、上記の例の連続した角枠状の他、写真の隅部付近のみを指示するＬ字状線や三角マークなど、上記以外の形式のものとしてもよい。
【００３３】
またたとえば各記入欄は、その枠組みや罫線，各記入項目名などの具体的構成は、上記以外のものとしてもよく、さらに生前情報記入欄５１と想い出記入欄５２は別頁に設けるなど、各頁の構成や順序なども上記以外のものとしてもよい。また小冊子の各頁には、蓮の花その他の図柄を配してもよいし、表紙２の題号や図柄も自由に選定できる。
【００３４】
また上記の例では、表紙２を遺影貼付部１２の下側シート部３Ａとして、裏表紙４を写真貼付部６１の下側シート部５Ａとして、それぞれ利用したので、表紙および裏表紙用のやや厚手のシートを有効に利用して、遺影および写真をしっかりと保持でき特にすぐれた外観を有する貼付部を構成できるとともに、小冊子全体の頁数も少なくて済むという長所を有するものであるが、これらの遺影貼付部および写真貼付部としては、表紙や裏表紙以外の他の頁を利用した二層構造を採用してもよい。さらに遺影貼付部および写真貼付部を上記の二層構造とせずに、一枚のシート面上に直接遺影や１枚または複数枚の写真を貼付けるようにしてもよく、また小冊子全体は、和紙等を綴じ紐で大和綴じや四つ目綴じした冊子構造としてもよい。
【図面の簡単な説明】
【００３５】
【図１】この発明の実施の形態の一例を示す仏事用小冊子の閉じた状態の斜視図である。
【図２】図１の仏事用小冊子の半開き状態の斜視図である。
【図３】図１の仏事用小冊子の第１頁と第２頁の見開き状態の平面図である。
【図４】図１の仏事用小冊子の第３頁と第４頁の見開き状態の平面図である。
【図５】図１の仏事用小冊子の第５頁と第６頁の見開き状態の平面図である。
【図６】図３における下側シート部３Ａと上側シート部３Ｂを開いた状態の平面図である。
【図７】図５における下側シート部５Ａと上側シート部５Ｂを開いた状態の平面図である。
【符号の説明】
【００３６】
１…仏事用小冊子、１１…故人情報記入欄、１２…遺影貼付部、２１…法要日程記入欄、３１…菩提寺情報記入欄、４１…葬儀記録記入欄、５１…生前情報記入欄、５２…想い出記入欄、６１…写真貼付部。
【図１】
2006020679.tif 000003
【図２】
2006020679.tif 000004
【図３】
2006020679.tif 000005
【図４】
2006020679.tif 000006
【図５】
2006020679.tif 000007
【図６】
2006020679.tif 000008
【図７】
2006020679.tif 000009